(57)【要約】【課題】フロント部を樹脂製としたメガネフレームであって、該フロント部の両側には概略Ｌ型をしたヨロイ部を設けている樹脂製メガネフレームの提供。【解決手段】概略Ｌ型のヨロイ部をフロント部の両側に一体成形し、ヨロイ部には補強金を埋着し、そしてツルを折畳み可能に取付ける継手の一方の継手片をヨロイの補強金にロウ付けし、他方の継手片はツル又はツル芯金にロウ付けしている。【選択図】　　　　図２
2004053877.tif 000002
【特許請求の範囲】
【請求項１】
フロント部を樹脂製としている樹脂製メガネフレームにおいて、フロント部の両側には概略Ｌ型をしたヨロイ部を一体成形すると共に、ヨロイ部には補強金を埋着し、そしてツルを折畳み可能に取付ける継手の一方の継手片をヨロイ部の補強金にロウ付けし、他方の継手片はツル又はツルの芯金にロウ付けしたことを特徴とする樹脂製メガネフレーム。
【請求項２】
フロント部を樹脂製としたハーフリムタイプの樹脂製メガネフレームにおいて、ハーフリムには金属製の補強リム片を埋着して該補強リム片の両先端にはレンズを保持する為の高張力糸を止着し、そして上記ハーフリムの外側には概略Ｌ型をしたヨロイ部を一体成形すると共に、ヨロイ部には補強金を埋着し、ツルを折畳み可能に取付ける継手の一方の継手片をヨロイ部の補強金にロウ付けし、他方の継手片はツル又はツルの芯金にロウ付けしたことを特徴とする樹脂製メガネフレーム。
【発明の詳細な説明】
【０００１】
【発明の属する技術分野】
本発明はフロント両側にヨロイ部を一体成形し、該ヨロイ部の強度を強化した樹脂製のメガネフレームに関するものである。
【０００２】
【従来の技術】
図４は従来の一般的な樹脂製メガネフレームを示している。樹脂製メガネフレームは同図に示すように、フロント部（イ）と両ツル（ロ）、（ロ）から成っていて、両ツル（ロ）、（ロ）はフロント部（イ）の両側に継手を介して折畳み出来るように取付けられている。フロント部（イ）はレンズが嵌るリム（ハ）、（ハ）が連結部（ニ）を介して連結されると共に、リム内側には鼻当てパット（ホ）、（ホ）が形成されている。
【０００３】
ところで、樹脂製メガネフレームのフロント部（イ）は同図に示すように、両リム（ハ）、（ハ）と連結部（ニ）及び鼻当てパット（ホ）、（ホ）が一体成形され、フロント部（イ）の両側背面から突出した継手片とツル端部から突出した継手片とが軸ネジを介して連結することで、ツル（ロ）が折畳み出来るように取付けられている。そして、ツルが開くときにはその端面がフロント部（イ）の背面に当接することで、開き度が規制される。
【０００４】
このように、樹脂製メガネフレームのフロント部には金属製メガネフレームのフロント部のような概略Ｌ型のヨロイはなく、ツルはフロント部に直接取付けられる。勿論、射出成形される樹脂製のフロント部にヨロイ部を設けることは簡単であるが、フロント部から概略Ｌ型に延びるヨロイ部は強度が弱く、ツルを開く際に作用するモーメントに耐えることが出来ず、又時の経過によって歪変形して該ヨロイから延びるツルの位置が変わってしまうこともある。
【０００５】
【発明が解決しようとする課題】
このように、樹脂製メガネフレームには上記のごとき問題がある。本発明が解決しようとする課題はこの問題点であって、フロント部の両側にヨロイ部を設けた樹脂製メガネフレームを提供する。
【０００６】
【課題を解決する為の手段】
本発明に係る樹脂製メガネフレームはフロント部の両側にヨロイ部を形成したものであり、該ヨロイ部の先端にツルを連結している。すなわち、金属製のメガネフレームと同じようなヨロイ部をフロント部に一体成形し、該ヨロイ部先端には蝶番などの継手を介してツルが折畳み出来るように取付けられる。
【０００７】
樹脂製ツルの中心軸には金属製の芯金が埋着されて該ツルの強度は保たれ、又変形が防止される。同じように、ヨロイ部にも芯金に相当する補強金が埋着されて補強され、該補強金に継手を構成するヨロイ側継手片が固定される。ツル側継手片はツルの芯金に固定されている。以下、本発明に係る実施例を図面に基づいて詳細に説明する。
【０００８】
【実施例】
図１は本発明に係る樹脂製メガネフレームの一部を示している。基本的な形態は前記図４に示しているメガネフレームと同じであって、フロント部１の側部にはツル２が取付けられている。ところが、該フロント部１にはヨロイ部３が外側に一体成形され、このヨロイ部３の先端にツル２が折畳み出来るように取付けられている。
【０００９】
フロント部１はレンズが嵌る両リム４，４を有し、上記ヨロイ部３はリム外側に設けられて概略Ｌ型を成しているが、フロント部１の上縁からヨロイ部３にかけて補強金５が埋着されて該ヨロイ部３の強度を向上し、又ヨロイ部３が歪み変形しないようにしている。ツル２，２を開いてメガネを顔に掛ける場合、両ツル２，２には多少の押圧力が作用し、この押圧力に伴う曲げモーメントがヨロイ部３に働く。本発明では、該ヨロイ部３に補強金５を埋着している為に、該曲げモーメントに対抗することが出来る。
【００１０】
図２は上記メガネフレームのヨロイ部断面拡大図を示している。フロント部１からヨロイ部３にかけて埋着した補強金５の先端には蝶番６の片側蝶片７ａがロウ付けされ、ツル２の芯金８には他方の蝶片７ｂがロウ付けされている。そして両蝶片７ａ，７ｂは軸ネジ９にて連結され、ツル２は該蝶番６を介して折畳み出来るように成っている。このツル継手構造は金属製メガネフレームのツル継手構造と同じであり、ツル２の開き度はツル端面がヨロイ部先端面に当接することで定まる。
【００１１】
図３は本発明に係る樹脂製メガネフレームを示す他の実施例であり、レンズ１０の下側半分を水糸によって保持しているハーフリムタイプのフレームを示している。樹脂製のハーフリム１２内には金属製の補強リム片１１が埋着され、この補強リム片１１の両端はハーフリム１２から突出して延び、レンズ１０の下側を保持する水糸の両端は上記補強リム片１１の両先端に止着される。勿論、レンズ１０の上側は補強リム片１１に嵌っている。
【００１２】
同図のメガネフレームでは、両補強リム片１１，１１を連結部材１３によって連結し、この連結部材１３は外部に露出しているが、ハーフリム１２を連結する樹脂製の連結部を設けて、上記連結部材を埋着することも出来る。そして、ハーフリム１２はその外側を延ばすと共に、Ｌ型に湾曲してヨロイ部３を形成している。このヨロイ部３は前記実施例の場合と同様に補強金５が埋着されてヨロイ部３の強度を補っている。
【００１３】
そして、ヨロイ部３の先端にはツル２が折畳み可能に取付けられているが、蝶番を構成する各蝶片は上記補強金とツルの芯金にロウ付けされている。ここで、レンズを保持する水糸（高張力糸）の止着構造は限定せず、一般にはハーフリム片の先端に形成した２個の小さな穴に水糸を挿通して止着される。そして、実施例に示すメガネフレームは樹脂製としているが、金属製のツルを用いる場合もある。
【００１４】
以上述べたように、本発明の樹脂製メガネフレームはフロント部の両外側に概略Ｌ型をしたヨロイ部を一体形成し、該ヨロイ部には補強金を埋着したものであり、次のような効果を得ることが出来る。
【００１５】
【発明の効果】
本発明の樹脂製メガネフレームは、そのフロント部に概略Ｌ型をしたヨロイ部を設けていて、ツルはヨロイ部先端に取付けられる。すなわち、金属製メガネフレームのツルと同様な取付け構造となり、外観的に好ましい形態と成る。このようにヨロイ部を設けているが、該ヨロイ部には補強金を埋着している為に強度は高く、又時の経過によって歪変形を生じることはない。
【００１６】
そして、ツルを連結する為の蝶番などの継手を構成する一方の継手片は、ヨロイ部に埋着している補強金にロウ付けされ、他方の継手片はツルの芯金にロウ付けすることが出来る。
【図面の簡単な説明】
【図１】本発明に係る樹脂製メガネフレームの一部を示している具体例。
【図２】本発明の樹脂製メガネフレームのヨロイ部断面拡大図。
【図３】本発明に係る樹脂製メガネフレームの示す他の実施例。
【図４】従来の一般的な樹脂製メガネフレーム。
【符号の説明】
１　フロント部
２　ツル
３　ヨロイ部
４　リム
５　補強金
６　蝶番
７　蝶片
８　芯金
９　軸ネジ
１０　レンズ
１１　補強リム片
１２　ハーフリム
１３　連結部材
【図１】
2004053877.tif 000003
【図２】
2004053877.tif 000004
【図３】
2004053877.tif 000005
【図４】
2004053877.tif 000006